(57)【特許請求の範囲】
【請求項１】
水溶性粘着剤を主成分とし無機粉末を含む脱毛剤において、前記水溶性粘着剤が糖質であり、前記無機粉末の配合量が３〜２０重量％であることを特徴とする脱毛剤。
【請求項２】
さらにコンディショニング剤を含むことを特徴とする請求項１に記載の脱毛剤。
【請求項３】
前記コンディショニング剤の配合量は、１〜２重量％であることを特徴とする請求項２に記載の脱毛剤。
【請求項４】
請求項１〜３のいずれか１項に記載の脱毛剤において、有機酸を含むことを特徴とする脱毛剤。
【請求項５】
人体の毛を除去するために用いるものであることを特徴とする請求項１〜４のいずれか１項に記載の脱毛剤。
【請求項６】
動物の毛を除去するために用いるものであることを特徴とする請求項１〜４のいずれかに１項に記載の脱毛剤。
【請求項７】
請求項１〜６のいずれか１項に記載の脱毛剤をバッキングシート又はバッキングフィルムを基材としてシート状に加工したことを特徴とする脱毛シート。
【発明の詳細な説明】
【０００１】
【発明の属する技術分野】
本発明は、脱毛剤及び脱毛シートに関する。更に詳述すると、本発明は、美容や衛生等の目的でむだ毛等の体毛の除去に使用する脱毛剤とこれをシート状に加工した脱毛シートに関するものである。
【０００２】
【従来の技術】
従来、脱毛剤として、例えば蜂蜜と砂糖を主成分とし、クエン酸を含む脱毛剤がある（特開平２−２９５９１４号）。この脱毛剤は蜂蜜と砂糖を主成分とした水溶性の脱毛剤であるため、漂白剤や硫化物を主成分とした脱毛剤とは違って肌荒れ等の原因になり難く、また、油性の脱毛剤とは違って皮膚を剥がすなどして肌を傷めることも少ない。また、油性の脱毛剤では使用後に専用クレンジングオイルでふき取る必要があるが、水溶性の脱毛剤は使用後に水で洗い流すだけで皮膚から簡単に除去することができる。即ち、水溶性の脱毛剤は、安全性が高く使い勝手が良い。
【０００３】
また、豚などの食用肉に残る毛にＯ１５７や大腸菌などの細菌類が付着していることがある。これを洗浄で除去する場合、非常に手間がかかる。そこで、これを容易かつ無害（人体に安全）に除去することが望まれる。また、小実験動物の毛を簡易に除去することも望まれている。
【０００４】
【発明が解決しようとする課題】
しかしながら、蜂蜜や砂糖を主成分とした水溶性の脱毛剤は、温度による粘度変化が大きい。このため、使用時の温度によって体毛除去力が大きく異なるという問題がある。また、使用時の温度によって脱毛剤の凝集力が低下し、皮膚から引き剥がす際に層割れ現象が起こるため、脱毛効果が不十分になると共に、同じシート面で数回の脱毛作業をすることができず不経済である。
【０００５】
本発明は、体毛除去力に対して使用温度の差があまり影響しないで、数回の使用が可能な脱毛剤及び脱毛シートを提供することを目的とする。
【０００６】
【課題を解決するための手段】
かかる問題点を解決するために本発明者らは鋭意研究を重ねた結果、肌荒れ等の原因になり難い水溶性粘着剤例えば糖質を主成分として含む脱毛剤において、無機粉末を配合することにより、体毛除去力に対する温度の影響をほとんど無くすことができ、粘着保持力が保たれ高い脱毛効果が得られることを見出した。同様に、水溶性粘着剤例えば糖質を主成分とし有機酸を含む脱毛剤においても、無機粉末を配合することにより、体毛除去力に対する温度の影響をほとんど無くすことができ、粘着保持力が保たれ高い脱毛効果が得られることを見出した。また適切なコンディショニング剤を加えることにより肌からの脱毛剤の離れをスムーズにし、肌を保護できることも見出した。
【０００７】
本発明はこれらの知見に基づいたもので、請求項１記載の発明は、水溶性粘着剤を主成分とし無機粉末を含む脱毛剤において、水溶性粘着剤が糖質であり、無機粉末の配合量を３〜２０重量％としたものである。無機粉末を３〜２０重量％配合することにより配合物としての脱毛剤の粘度の温度による変化が抑えられ、安定した脱毛力を発揮する。脱毛剤としての凝集力が使用時の温度に左右され難く低下しなくなるので、皮膚から引き剥がす際に層割れ現象が起こらず、脱毛効果が落ちないと共に、同じシート面で数回の脱毛作業をすることが可能となり経済的である。また、水溶性粘着剤を糖質とすることで、皮膚にとって、刺激が少なく安全性が高いことは当然のこと、仮に脱毛作業で肌に粘着剤が残った場合でも、水で簡単に洗い流すことができ、使用者にとって使い勝手が良い。
【０００８】
また、請求項２記載の発明は、請求項１に記載の脱毛剤において、さらにコンディショニング剤を含むようにしている。この場合、脱毛時の肌の表皮との間の剥離が滑らかになるため、肌に損傷を与えることがない。
【００１０】
また、請求項３記載の脱毛剤のように、コンディショニング剤の配合量は、１〜２重量％であることが好ましい。１重量％未満では肌の保護効果がほとんど得られず、２重量％を超えると、脱毛剤が抜きたい毛を十分に巻き込まなくなる虞がある。
【００１１】
ここで、請求項４記載の発明のように、本発明の脱毛剤は、有機酸を含むことが好ましい。この場合、有機酸例えばクエン酸ナトリウムは糖質に対して固化抑制作用があることから、一旦水に溶解し粘着性がでた糖質が固化して粘着力を失うことを防ぐ。
【００１２】
また、請求項５記載の脱毛剤のように、人体の体毛等を除去するものであっても良く、請求項６記載の脱毛剤のように、動物の毛を除去するものであっても良い。この場合、脱毛剤の一部が残留しても水で簡単に洗い流せる上に人体に安全な糖質やクエン酸を主成分としているため、食肉上問題とならない。
【００１３】
さらに、本発明者らは、鋭意研究を重ねた結果、上述の脱毛剤を保湿性の高いバッキングシート又はバッキングフィルムを基材としてシート状に加工することにより、使用に便利で、肌荒れ等の原因になり難く体毛除去力に優れた脱毛シートを完成した。即ち、請求項７記載の脱毛シートは、請求項１〜６のいずれか１項に記載の脱毛剤をバッキングシート又はバッキングフィルムを基材としてシート状に加工したものである。
【００１４】
【発明の実施の形態】
以下、本発明の構成を図面に示す最良の形態に基づいて詳細に説明する。
【００１５】
本発明の脱毛剤は、水溶性粘着剤を主成分とし、それに無機粉末、好ましくはコンディショニング剤と共に無機粉末を含むようにしている。水溶性粘着剤は、例えば糖質の使用が好ましい。糖質としては、例えば水飴の使用が好ましい。この水飴の使用は、クエン酸などの有機酸を必要とせず、粘性が安定するという利点がある。また糖質としては水飴に限るものではなく、ごく一般の家庭で使用されているショ糖や、ハチミツ、トレハロース等でも良いことは勿論である。
【００１６】
糖質の配合量は、例えば脱毛剤全量の６０〜８０重量％、好ましくは６５〜７５重量％である。６０〜８０重量％としたのは、６０重量％未満では脱毛剤の粘度があがらず、粘着力不足となって脱毛を良好に行い難くなるからであり、一方、８０重量％を超えると水への溶解性が悪くなって製造し難くなるからである。また、好ましくは６５〜７５重量％としたのは、この範囲であれば粘着性（体毛除去力）と製造のし易さの両方をバランス良く良好にできるからである。
【００１７】
更には、クエン酸などの有機酸を糖質の固化抑制剤として含ませることも可能である。この場合には、ショ糖やはちみつ等の糖質を使用する際の粘性を安定にすることができる。クエン酸の配合量は、例えば０．２〜２．０重量％である。０．２重量％未満では脱毛剤として十分な粘度を得ることが出来ず、一方、２．０重量％を超えると脱毛剤が強酸性になって人肌への使用に好ましくないからである。
【００１８】
無機粉末としては、例えば無水ケイ酸、ケイ酸マグネシウム、合成ケイ酸アルミニウム、タルク、カオリン、ゼオライト等が挙げられる。ただし、これらに限るものではないことは勿論である。また、無機粉末は一種だけの配合でも良く、または二種以上を配合しても良い。
【００１９】
無機粉末の配合量は、３〜２０重量％である。３〜２０重量％を配合するときには、水溶性粘着剤を主成分とする脱毛剤の粘度の温度による変化を抑え、安定した脱毛力・体毛除去力が得られる。即ち、脱毛剤としての凝集力が使用時の温度に左右され難く低下しなくなるので、使用時の温度によって体毛除去力が大きく異なったり、皮膚から引き剥がす際に層割れ現象を起こして脱毛効果を落とすようなことがなくなる。しかも、同じシート面で数回の脱毛作業をすることが可能となり経済的である。尚、１重量％未満では脱毛剤の粘度が不充分で体毛除去力が不足し、３０重量％を超えると脱毛剤の粘度が大きく硬くなり過ぎて塗布し難くなるなどの製造が難しくなる。
【００２０】
コンディショニング剤としては、例えばポリオキシエチレンメチルグルコシド、ポリオキシプロピレンメチルグルコシド、ポリオキシラノリンアルコール、オレイン酸プロピレングリコール、オレイン酸ポリオキシエチレンソルビット、加水分解コラーゲン等が用いられる。ただし、これらに限るものではないことは勿論である。
【００２１】
コンディショニング剤の配合量は、例えば１〜２重量％である。１重量％未満では肌の保護効果がほとんど得られず、２重量％を超えると、脱毛剤が抜きたい毛を十分に巻き込まなくなる虞があるからである。
【００２２】
この脱毛剤は、美容目的等で人体の体毛を除去するのに使用したり、動物例えば実験用小動物の毛を除いても良く、又は衛生目的で食用肉の残留毛を除去するのに使用しても良い。食用肉の残留毛を除去することで、細菌が付着し難くなり洗浄等を簡単にすることが出来る。また、実験用小動物の除毛を脱毛シートを貼りつけて剥がすだけで行うことができ、便利である。
【００２３】
上述の脱毛剤は、プラスチックシート又はプラスチックフィルム等のバッキング材を基材としてシート状に加工される。即ち、脱毛剤は、例えば柔軟でしかも伸びの少ないバッキングシート又はバッキングフィルムに塗布された状態で提供され、そのまま使用できる。具体的には、図１に示すように、引き剥がし可能な弱いヒートシール性を有する基材１を２枚重ね合わせるか、もしくは図２に示すように、１枚の基材１を中央部で折り曲げ、開口部を除き周縁部をヒートシールして袋状のものを形成し、該袋状のものに脱毛剤２を充填した後、開口部をヒートシールして閉じる。使用時にヒートシールした部分を引き剥がすだけで、２枚の脱毛シート又は幅広の１枚の脱毛シートが得られ、そのまま使用できるので便利である。袋状にシールする場合、離型紙が不要となると共に貼布面積を２倍に増したり、２枚に分離することができる。しかも、袋状の場合、コールドフロー（放置中に流れ出ること）を防ぐことができる。なお、プラスチックシート又はプラスチックフィルムの基材１の材料としては、例えばポリエステル等の使用が好ましい。
【００２４】
一般的な水溶性脱毛剤は、一度肌に貼りつけ引き剥がすと、粘着層の表面に毛髪や表皮を抱き込む為に、粘着力が極端に落ち込み再使用はほとんど出来ない。これに対し、本発明の脱毛剤は、その組成が全て親水性素材で構成されており、その上コンディショニング剤が脱毛剤表面の皮膚離れをさらに良くするので、再使用が可能である。実用実験では３回程度の再使用が出来ることが確認されており経済的である。但し衛生上の観点から、再使用は同一作業時に限って行うことが望ましい。また、コンディショニング剤は脱毛剤表面の皮膚離れを良くすると共に保湿効果もあるので、脱毛剤の再使用を可能にするばかりでなく肌の保護効果も高くなる。
【００２５】
なお、上述の形態は本発明の好適な形態の一例ではあるがこれに限定されるものではなく本発明の要旨を逸脱しない範囲において種々変形実施可能である。例えば、必要に応じてグリチルリチン酸ジカリウム、グリチルリチン酸やアラントイン等の消炎剤、あるいは、フラボステロンや葛根エキス等の毛髪発育抑制剤を配合しても良い。この場合、消炎剤や毛髪抑制剤の配合量は、それぞれ例えば０．２重量％以下にすることが好ましい。これら消炎剤や毛髪抑制剤の配合により、脱毛した後の肌が炎症を起こしたり、発毛するのを抑えることができる。
【００２６】
また、上述の脱毛剤はコンディショニング剤を含んでいたが、コンディショニング剤を含めなくても良い。この場合には、脱毛剤の使用前にコンディショニング剤に相当するクリーム等を別に塗るようにしても良い。
【００２７】
【実施例】
次に実施例によって本発明を詳細に説明する。本発明はこれらに限定されるものではないことは勿論である。なお、配合量は重量％である。
【００２８】
（実施例１）
水飴                                        ９４．０
ポリオキシエチレンメチルグルコシド            １．０
ケイ酸アルミニュウム                          １．０
ＥＭタルク                                    ４．０
【００２９】
（実施例２）
水飴                                        ９０．０
はちみつ                                      ４．０
ポリオキシラノリンアルコール                  １．０
カオリン                                      １．０
クレイ                                        ４．０
【００３０】
（実施例３）
水飴                                        ９２．９
オレイン酸プロピレングリコール                １．０
セリシン                                      １．０
グリチルリチン酸ジカリウム                    ０．１
ケイ酸アルミニウム                            ２．０
ケイ酸マグネシウム                            ３．０
【００３１】
なお、実施例１〜３の組成物は、水飴を８０℃〜９５℃に加熱し、無機粉末その他の配合原料が均一に分散又は溶解した状態で、袋状シートに充填した。
【００３２】
（実施例４）
精製白糖                                    ７０．０
クエン酸                                      ０．５
ポリオキシエチレンメチルグルコシド            １．５
ケイ酸アルミニュウム                          ３．０
タルク                                      １４．０
純  水                                        残  余
【００３３】
（実施例５）
グラニュー糖                                ７０．０
クエン酸                                      ０．５
水分解コラーゲン液                            １．５
ケイ酸アルミニュームマグネシウム              ３．０
ケイ酸マグネシウム                          １２．０
純  水                                        残  余
【００３４】
（実施例６）
精製白糖                                    ６５．０
蜂  蜜                                        ５．０
クエン酸                                      ０．５
セリシン                                      １．０
グリチルリチン酸ジカリウム                    ０．１
ケイ酸アルミニウム                            ３．０
タルク                                      １４．０
純  水                                        残  余
【００３５】
なお、実施例４〜６の組成物は，糖質をクエン酸水溶液中に完全に溶解させる為に８０℃〜９５℃に加熱し無機粉末その他配合原料が均一に分散した状態で袋状シートに充填した。
【００３６】
【発明の効果】
以上説明したように、請求項１記載の脱毛剤では無機粉末を含んでいるので、体毛除去力に対する温度の影響をほとんど無くすことができ、粘着保持力を保って高い脱毛効果を得ることが出来る。即ち、脱毛剤としての凝集力が使用時の温度に左右され難く低下しなくなるので、使用時の温度によって体毛除去力が大きく異なったり、皮膚から引き剥がす際に層割れ現象を起こして脱毛効果を落とすようなことがなくなる。しかも、同じシート面で数回の脱毛作業をすることが可能となり経済的である。また、無機粉末の配合量を３〜２０重量％としているので、脱毛剤の粘度を脱毛を行うのに適切なものにすることが出来ると共に製造や塗布が容易となる。
【００３７】
また、請求項２記載の脱毛剤では、請求項１に記載の脱毛剤において、さらにコンディショニング剤を含んでいるので、体毛除去力に対する温度の影響をほとんど無くすことができ、粘着保持力を保って高い脱毛効果を得ることが出来ると共に、肌からの脱毛剤の離れをスムーズにし、肌の保護効果を高めることが出来る。
【００３９】
また、請求項３記載の脱毛剤では、コンディショニング剤の配合量を１〜２重量％としているので、脱毛効果に悪影響を与えずに肌の保護効果を高めることが出来る。
【００４０】
また、請求項５記載の脱毛剤のように、人体の毛を除去することに使用しても良く、請求項６記載の脱毛剤のように、食用肉の残留毛を除去することに使用する場合、細菌の除去が容易となり、洗浄等も簡略なものとできる。
【００４１】
さらに、請求項７記載の脱毛シートでは、請求項１〜６のいずれか１項に記載の脱毛剤をプラスチックシート又はプラスチックフィルムを基材としてシート状に加工しているので、使い勝手を良くすることが出来る。
【図面の簡単な説明】
【図１】本発明の脱毛シートを示す概念図である。
【図２】本発明の脱毛シートの他の例を示す概念図である。
【符号の説明】
１  基材
２  脱毛剤
【図１】
0004377526.tif 000002
【図２】
0004377526.tif 000003